(57)【要約】【課題】画像形成装置でプリントする文書を携帯型情報端末で閲覧する際、文書の内容の閲覧とプリントの仕上がりの確認の表示切り替えを容易にし、操作性の高い閲覧システムを提案することが課題である。【解決手段】画像形成装置に対して携帯型情報端末が所定の位置に設置されたことを検出する手段を設け、携帯型情報端末の表示画像にプリント設定の反映をするか否かを、画像形成装置に対する位置によって切り替える。このようにすることで操作者は簡単に表示を切り替えることできるようになり、閲覧性の高さとプリント設定の確認の両方を行うことが容易となる。【選択図】  図１
2015166150.tif 000002
【特許請求の範囲】
【請求項１】
文書画像をプリントする画像形成装置（１０１）と、
文書画像を表示する携帯情報端末（１０９）と、
前記画像形成装置と前記携帯情報端末との間の通信手段（２２６、６０７）と、
前記画像形成装置に対して所定の位置に前記携帯情報端末が置かれたことを検知する携帯情報端末設置検知手段（２６０、６１２）と、
前記画像形成装置でのプリントの設定をするプリント設定手段手段（２４０６）と、
から構成される画像プリントシステムにおいて、
前記携帯情報端末は、
前記プリント設定手段からプリント設定を取得するプリント設定取得手段（Ｓ１９０１）と、
前記プリント設定取得手段から取得したプリント設定を反映しない文書表示を行う閲覧用文書表示手段（Ｓ１１０２、Ｓ１３０３）と、
前記プリント設定取得手段から取得したプリント設定を反映した文書表示を行うプリント用文書表示手段（Ｓ１９１４）と、
を備え、
前記携帯情報端末設置検知手段が検知していないとき、前記携帯情報端末は前記閲覧用文書表示手段を用いて文書を表示し、
前記携帯情報端末設置検知手段が検知しているとき、前記携帯情報端末は前記プリント用文書表示手段を用いて文書を表示する、
ことを特徴とする画像プリントシステム。
【請求項２】
前記携帯情報端末設置検知手段が検知しているとき、前記携帯情報端末の前記画像形成装置に対する向きを検知する携帯情報端末向き検知手段（１００７）を備え、前記プリント用文書表示手段は、前記携帯情報端末向き検知手段で検知した向きに応じてプリント設定表示を変更する（Ｓ１９１１）ことを特徴とする請求項１に記載の画像プリントシステム。
【請求項３】
前記携帯情報端末設置検知手段が検知しているとき、前記携帯情報端末の前記画像形成装置に対する向きを検知する携帯情報端末向き検知手段（１００７）を備え、前記画像形成装置は、前記携帯情報端末向き検知手段で検知した向きに応じてプリント時に画像を回転する（Ｓ２７０３、Ｓ２７０８）ことを特徴とする請求項１に記載の画像プリントシステム。
【発明の詳細な説明】
【技術分野】
【０００１】
本発明は、画像形成装置および携帯型情報端末のプリント設定およびプリント画像表示に関する。
【背景技術】
【０００２】
近年、タッチパネルを装備したタブレット型の携帯型情報端末が多く製品化され普及しつつある。とりわけマルチタッチ機能を備えた機種は複数の指を使い操作することにより画像の拡大や縮小を直観的に行うことを可能としている。このようなタッチパネルを高機能型のデジタル複合機（ＭＦＰ：ＭｕｌｔｉＦｕｎｃｔｉｏｎＰｒｉｎｔｅｒ）に装備することにより従来に比べ機器の操作性を向上することが同様に可能である。
【０００３】
また、このようなタッチパネルは近年大型化・高精細化している。複合機においては従来からスキャンしたりＰＣから送られたりした画像を操作表示に縮小して表示する（プレビューする）ことが行われてきた。大型化・高精細化したタッチパネルを複合機で利用することにより、より詳細な操作設定をプレビュー画像上で行ったり、複数ページの画像を同時にプレビューしたりすることができるようになってきた。
【０００４】
特に、プレビュー画像上での操作設定に関しては、プレビュー画像上でユーザーが押下した位置に応じて、実行可能なステイプルやパンチといった後処理設定を表示するようにした画像形成装置が開示されている（特許文献１参照）。
【０００５】
一方で近年、非接触無線通信手段の一つであるＮＦＣによる通信が可能なスマートフォンやタブレットＰＣなどの情報端末が増加している。これらの情報端末にはタグリーダーライターが内蔵され、それを利用することでＲＦＩＤカード対してデータの読み出しや、書き込みが行える。
【０００６】
従ってこれらの情報端末は、ＲＦＩＤタグを備える機器に対して非接触無線通信を行う事が可能である。例えば複合機にＲＦＩＤタグを具備し、そこに複合機固有の情報を記載することで、複合機に近づいた情報端末はその度、例えば複合機固有の情報を取得する事が可能となる。
【先行技術文献】
【特許文献】
【０００７】
【特許文献１】特開２０１０−４１６０３号公報
【発明の概要】
【発明が解決しようとする課題】
【０００８】
上述のようにプレビューでプリント設定に忠実な表示を行うと、文書自体の見やすさが低下する場合がある。例えば、モノクロプリントをするためプレビューもモノクロ表示を行ったり、また、ステイプルやパンチのような後処理を表示したりする場合である。プリントの仕上がりを確認する目的は達成されるが、一方で文書が見づらくなるため、文書の内容を閲覧したいときには、別の閲覧ソフトを使用する必要があった。したがって、文書を閲覧しつつ、プリントの仕上がりも確認したい、という場合、表示の切り替えに手間がかかり、操作性が低下していた。
【０００９】
本発明はこの点に鑑みられたものであり、文書の内容の閲覧とプリントの仕上がりの確認の表示切り替えを容易にし、操作性の高い閲覧システムを提案することが課題である。  
【課題を解決するための手段】
【００１０】
本発明の構成は、
文書画像をプリントする画像形成装置（１０１）と、
文書画像を表示する携帯情報端末（１０９）と、
前記画像形成装置と前記携帯情報端末との間の通信手段（２２６、６０７）と、
前記画像形成装置に対して所定の位置に前記携帯情報端末が置かれたことを検知する携帯情報端末設置検知手段（２６０、６１２）と、
前記画像形成装置でのプリントの設定をするプリント設定手段手段（２４０６）と、
から構成される画像プリントシステムにおいて、
前記携帯情報端末は、
前記プリント設定手段からプリント設定を取得するプリント設定取得手段（Ｓ１９０１）と、
前記プリント設定取得手段から取得したプリント設定を反映しない文書表示を行う閲覧用文書表示手段（Ｓ１１０２、Ｓ１３０３）と、
前記プリント設定取得手段から取得したプリント設定を反映した文書表示を行うプリント用文書表示手段（Ｓ１９１４）と、
を備え、
前記携帯情報端末設置検知手段が検知していないとき、前記携帯情報端末は前記閲覧用文書表示手段を用いて文書を表示し、
前記携帯情報端末設置検知手段が検知しているとき、前記携帯情報端末は前記プリント用文書表示手段を用いて文書を表示する、
ことを特徴とする。
【発明の効果】
【００１１】
本発明によれば、携帯型情報端末による文書画像の閲覧において、表示画像にプリント設定の反映をするか否かを、画像形成装置に対する位置によって切り替えることができる。そのため、操作者は簡単に表示を切り替えることできるようになり、閲覧性の高さとプリント設定の確認の両方を行うことが容易となる。
【図面の簡単な説明】
【００１２】
【図１】システム全体の構成を示す図である。
【図２】複合機１０１の内部構成を示すブロック図である。
【図３】複合機１０１の外観を示す図である。
【図４】複合機１０１の操作部の外観を示す図である。
【図５】携帯端末１０９の外観を示す図である。
【図６】携帯端末１０９の内部構成を示すブロック図である。
【図７】サーバ１０７の内部構成を示すブロック図である。
【図８】ＲＦＩＤタグ２６０の内部構成を示す図である。
【図９】ＲＦＩＤタグ２６０のデータ構成を示す図である。
【図１０】携帯端末１０９で実行されるビューワープログラムの構成を示す図である。
【図１１】携帯端末１０９の処理を示すフローチャートである。
【図１２】携帯端末１０９の表示を示す図である。
【図１３】携帯端末１０９の処理を示すフローチャートである。
【図１４】携帯端末１０９の表示および操作を示す図である。
【図１５】携帯端末１０９の処理を示すフローチャートである。
【図１６】携帯端末１０９の表示を示す図である。
【図１７】携帯端末１０９の処理を示すフローチャートである。
【図１８】携帯端末１０９をＲＦＩＤタグ２６０上に置いたときの図である。
【図１９】携帯端末１０９の処理を示すフローチャートである。
【図２０】携帯端末１０９の表示を示す図である。
【図２１】携帯端末１０９の表示を示す図である。
【図２２】携帯端末１０９の表示を示す図である。
【図２３】携帯端末１０９の表示を示す図である。
【図２４】複合機１０１で実行されるプリント設定／実行プログラムの構成を示す図である。
【図２５】操作部２１０の表示を示す図である。
【図２６】複合機１０１の処理を示すフローチャートである。
【図２７】複合機１０１の処理を示すフローチャートである。
【発明を実施するための形態】
【００１３】
以下、本発明を実施するための形態について図面を用いて説明する。尚、以下の実施形態において示す構成は一例に過ぎず、本発明は図示された構成に限定されるものではない。
【実施例】
【００１４】
本発明のシステム構成を説明する。
【００１５】
図１は、本実施形態におけるシステム全体の構成を示す図である。本システムは、ネットワーク１０６により接続された複合機１０１、１０２、１０３、１０４、ＰＣ１０５、サーバ１０７、無線アクセスポイント１０８と、携帯端末１０９より構成される。各構成要員はネットワークを介して機器を識別する為のＩＰアドレスが付与されているものとする。また、情報端末１０９は近接無線通信手段を備え、近傍にあるＲＦＩＤタグを備える複合機と近接無線通信１１０を通じてデータの授受が可能である。
【００１６】
図２は、図１に示した複合機１０１の内部構成を示すブロック図である。尚、他の複合機１０２、１０３、１０４についても複合機１０１と同様の構成からなる。
【００１７】
図２において、操作部２１０はコントローラユニット２２０と接続され、複合機とユーザ間での情報の入出力を行う。
【００１８】
コントローラユニット２２０はスキャナ部２４０やプリンタ部２５０、ネットワーク１０６に接続する事で、各デバイスの制御や各種情報の外部機器との入出力を行う。
【００１９】
コントローラユニット２２０において、ＣＰＵ２２１は複合機全体を制御する中央演算ユニットである。ＲＡＭ２２２はＣＰＵ２２１が演算に用いるデータを一時的に格納する為のワークメモリである。ＲＯＭ２２３は複合機のブートに用いるプログラムが格納されており、主に複合機の起動の際に使用される。ＨＤＤ２２４は複合機の制御に関するソフトウェアや各種設定と、保存された文書等を格納するハードディスクドライブ（ＨＤＤ）である。操作部Ｉ／Ｆ２２５は操作部２１０に対するインターフェースであり、操作部２１０に入力・出力したい情報を中継する。ネットワークＩ／Ｆ２２６はネットワーク１０６に対するインターフェースであり、ネットワーク１０６を介した他の情報機器との情報の入出力を担当する。拡張Ｉ／Ｆ２３６は拡張デバイスを装着して通信するためのＩ／Ｆである。ここで、拡張Ｉ／Ｆ２３６を介してＲＦＩＤタグ２６０が接続される。ＲＦＩＤタグ２６０は近距離無線通信モジュールであり、近距離無線通信１１０を通じてデータの授受を行う。これらのブロックはシステムバス２２７を通じて接続されている。
【００２０】
イメージバスＩ／Ｆ２２８はシステムバス２２７と、画像処理を担当する各ブロックを接続している画像バス２２９との中継、データ構造の変換を担う。画像バス２２９には、ＲＩＰ２３０、デバイスＩ／Ｆ２３１、プリンタ画像処理部２３３、画像編集用画像処理部２３４、スキャナ画像処理部２３５が接続されている。
【００２１】
ＲＩＰ２３０はラスタイメージプロセッサ（ＲＩＰ）であり、ページ記述言語（ＰＤＬ）コードやディスプレイリストをビットマップイメージに変換する。デバイスＩ／Ｆ部２３１は、スキャナ部２４０やプリンタ部２５０とコントローラユニット２２０とを接続し、画像データの同期系・非同期系の変換を行う。
【００２２】
また、プリンタ画像処理部２３３はプリント出力する画像データに対し、プリンタエンジンに応じた補正、解像度変換等の処理を行う。画像編集用画像処理２３４は、画像データの回転や、画像データの圧縮伸長処理等の各種画像処理を行う。スキャナ画像処理部２３５はスキャナ部２４０から入力した画像データに対し、補正、加工、編集等の各種処理を行う。
【００２３】
図８はＲＦＩＤタグ２６０の構成を示す図である。ＲＦＩＤタグ２６０は、記憶領域８０１、タグコントローラ８０４、アンテナ８０５から構成され、信号送出Ｉ／Ｆ８０２、及び有線Ｉ／Ｆ８０３を備える。記憶領域８０１はデータの保持を行う。アンテナ８０５は外部から特定の電波を受信することにより、各ブロックへの電力の供給を行うと共に、外部のＲＦＩＤタグリーダーライターとの通信を行う。有線Ｉ／Ｆ８０３は外部からＲＦＩＤタグ２６０のデータ入出力要求の受付と、データの返送を行うためのＩ／Ｆである。信号送出Ｉ／Ｆ８０２はタグコントローラ部８０４からの制御信号を外部に出力するためのＩ／Ｆである。タグコントローラ部８０４は公知の方法で近距離無線通信の確立を行う。また、タグコントローラ部８０４はアンテナ８０５を通じたデータ入出力要求、及び有線Ｉ／Ｆ８０３を通じたデータ入出力要求に応じて、記憶領域に対してデータの書き出しや読み出しを行い、必要に応じてデータを返送する。さらに、タグコントローラ部８０４は特定の近距離無線通信アクセスに応じて、信号送出Ｉ／Ｆ８０２を通じて信号を出力する構成となっている。具体的には、電力供給がなされたら即座に信号送出Ｉ／Ｆ８０２からパルス信号を出力する回路や、記憶領域の特定の領域が特定の値で埋まった場合にパルス信号を出力する回路を備える。どのような条件で信号を送出するかは設定により切り替える事が出来る。なお、信号送出Ｉ／Ｆ８０２を通じての外部への信号出力や、記憶領域のデータアクセスは、アンテナ８０５からの供給電力のみで行う事ができる。
【００２４】
図３は、複合機１０１の外観を示す図であり、図３（ａ）が複合機１０１を正面から見た図である。図３（ａ）において、複合機１０１はスキャナ部２４０、プリンタ部２５０、操作部２１０から成る。スキャナ部２４０において、スキャナ本体３０１は撮像素子と原稿を照明するランプを備え、原稿の画像をスキャンして画像データとして電気信号に変換する。画像データは前述したデバイスＩ／Ｆ２３１を介してコントローラ２２０に送られる。原稿給送装置３０２は、原稿トレイ３０３上に置かれた原稿をスキャナ本体３０１上へ給送する。
【００２５】
プリンタ部２５０において、給紙カセット３１１は印刷用の用紙を格納し、プリンタ本体３１２へ用紙を搬送する。給紙カセット３１１は複数装着され、各カセットに異なるサイズの用紙を格納することが可能である。プリンタ本体３１２は画像データを用紙上の画像に変換する部分である。プリンタ本体３１２は本実施例では感光ドラム上に画像データを露光してそこにトナーを載せ、紙にトナーを転写した後に定着器で定着する、いわゆる電子写真方式を採用したプリンタである。印字方式には電子写真方式のほかに、微小ノズルアレイからインクをと出して用紙上に直接画像を印字するインクジェット方式などがあるが、いずれの方法によっても構わない。プリンタ本体３１２は給紙カセット３１１から給送された用紙に画像データを転写すると後処理装置３１３へ搬送する。後処理装置３１３は印刷した紙にステイプルや折り等の後処理を行う装置である。本実施例の後処理装置３１３は、ステイプルは奥側と手前側のそれぞれ１か所とじおよび両方の２か所とじ（ダブルステイプル）が可能である。また、折りについてはいわゆる２つ折り、Ｚ折り、Ｃ折りをすることができる。後処理装置３１３は、後処理を行わなかった用紙、また、ステイプルまたはＺ折りを行った用紙については、排紙トレイ３１４、３１５へ排出する。２つ折りを行った用紙については、サドルトレイ３１６へ排出する。Ｃ折りを行った用紙については内部トレイ３１７へ排出する。
【００２６】
図３（ｂ）は、図３（ａ）に示した複合機１０１を上から見た図である。ここで、排紙トレイ３１４上にはＲＦＩＤタグ２６０が装備されている。ＲＦＩＤタグ２６０は、タブレット１０９がどのような向きで置かれても近接通信ができるように配置されている。
【００２７】
図４は、複合機１０１の操作部２１０の外観を示した図である。４０１はタッチパネルであり、液晶ディスプレイと透明なタッチセンサを重ねて配置することにより、表示した画像を指等で触って操作することが可能である。４０２、４０３、４０４はハードキーである。４０２はスタートキーであり、複合機１０１の各種ジョブの開始に用いる。４０３はストップキーであり、複合機１０１の各種ジョブの終了あるいは中止に用いる。４０４はホームキーであり、タッチパネル４０１上に表示したアプリケーションの終了に用いる。
【００２８】
図５は、図１に示した携帯端末１０９の外観を示す図である。図５（ａ）は、携帯端末１０９の表面の外観である。タッチパネル５０１はユーザに対する情報の提示と、ユーザからの入力を受け付ける液晶タッチパネルである。ホームボタン５０２は、実行中のアプリケーションを中断し、ホーム画面に戻る際に用いられる。図５（ｂ）は、携帯端末１０９の裏面の外観である。カメラ５０３は周囲を撮影する為のカメラである。フラッシュ５０４はカメラ５０３での撮影を補助する為のフラッシュである。５０５はタグリーダーライターのアンテナを装着している部分である。この部分を複合機１０１上のＲＦＩＤタグ２６０の近傍に置くことにより、近接通信１１０を行うことができる。
【００２９】
図６は、図１に示した携帯端末１０９の内部構成を示すブロック図である。携帯端末１０９はコントローラユニット６０１により構成される。コントローラユニット６０１において、ＣＰＵ６０２は携帯端末全体を制御する中央演算ユニットである。ＲＡＭ６０３はＣＰＵ６０２が演算に用いるデータを一時的に格納する為のワークメモリである。フラッシュＲＯＭ６０４は、ＣＰＵ６０２が使用するプログラムや各種データを格納するフラッシュＲＯＭである。パネルコントローラ６０５はタッチパネル５０１への表示および、タッチパネル５０１からのタッチ点情報の入力を行う。カメラ６０６はカメラを用いて撮影を行う。無線ネットワークＩ／Ｆ６０７は無線アクセスポイント１０８を経由してネットワーク１０６と通信する為のインターフェースである。位置検出装置６０８はＧＰＳ受信機等を用い、携帯端末の現在地の特定を担当する。加速度センサ６０９は３軸の加速度を計測するとともに、重力加速度の計測も行う。地磁気センサ６１０は地磁気の計測を行う。タグリーダーライター６１２はＲＦＩＤタグの検出を行う。ＲＦＩＤタグが検出された場合、近距離無線通信１１０を開始し、ＲＦＩＤタグへのデータアクセスを行う。これらのブロックはシステムバス６１１を通じて接続されている。
【００３０】
図７は、図１に示したサーバ１０７の内部構成を示すブロック図である。サーバ１０７はコントローラユニット７０１により構成される。コントローラユニット７０１において、ＣＰＵ７０２はサーバ全体を制御する中央演算ユニットである。ＲＡＭ７０３はＣＰＵ７０２が演算に用いるデータを一時的に格納する為のワークメモリである。ＨＤＤ７０４は、サーバ１０７が使用するプログラムや各種データを格納するハードディスクドライブ（ＨＤＤ）である。ネットワークＩ／Ｆ７０５はネットワーク１０６に対するインターフェースであり、ネットワーク１０６を介した他の情報機器との情報の入出力を担当する。これらのブロックはシステムバス７０６を通じて接続されている。
【００３１】
図９は本発明の実施例１においてＲＦＩＤタグ２６０の記憶領域８０１に記録されるデータを示す図である。データは複合機全般について記述する複合機情報記述部９０１と、複合機を特定するための複合機アドレス記述部９０２に分かれる。複合機情報記述部は、このタグを備える画像形成装置が情報端末１０９から利用出来るかどうかを判定するためのものである。具体的にはヘッダ情報、ベンダ名、機種名、ネットワークＩ／Ｆからの指示の受付が可能か否か、等の情報が記述されているデータである。複合機アドレス記述部は、情報端末がネットワークを介して画像形成装置にアクセスするために必要な情報を保持する領域である。例えばＩＰアドレスや、ホスト名がそれに該当する。ホスト名が記載されている場合、情報端末１０９はＤＮＳサーバーへ問い合わせることで画像形成装置のＩＰアドレスを取得する。なお、本実施例はコントローラー２２０とＲＦＩＤタグが有線接続されていない状況での実施が可能である。この場合、ＩＰアドレスやホスト名が変更になった場合は、外部から近距離無線通信１１０によりこれらの情報を書き換える必要がある。有線Ｉ／Ｆ付きＲＦＩＤタグを利用する場合は、コントローラーから直接ＲＦＩＤタグの複合機アドレス記述部に現在のＩＰアドレスを書き変える事が可能である。
【００３２】
以下、本発明に特徴的な、携帯端末１０９上で動作するビューワーアプリケーションについて説明する。ビューワーアプリケーションは携帯端末１０９のＣＰＵ６０２が動作させるプログラムであり、フラッシュＲＯＭ６０４上に格納され、ＣＰＵ６０２によってＲＡＭ６０３へ読み出されて実行される。
【００３３】
図１０は、ビューワーアプリケーションの構成図である。ビューワー本体部１００１はプログラムの本体であり、プログラム内の各モジュールを制御してビューワーアプリケーションを実行する。ビューワー本体部１００１の動作については後に詳しく説明する。表示部１００２は、ビューワー本体部１００１からの描画要求を受け、タッチパネルコントローラ６０５を介してタッチパネル５０１へ描画を実行する。ファイル管理部１００３はフラッシュＲＯＭ６０４上にファイルを作成・管理し、そのファイルにデータを書き込み／読み出しをする。ネットワーク通信部１００４は、無線ネットワークＩ／Ｆ６０７を介して、ネットワーク上の他の機器とＴＣＰ／ＩＰによる通信を行う。ＲＦＩＤタグ通信部１００５はタグリーダーライター６１２を介してＲＦＩＤタグの検出および近接通信１１０を実行する。パネル入力検出部１００６はタッチパネルコントローラ６０５を介してタッチパネル５０１への指等によるタッチ操作を検出する。そして、タッチ点の座標および動きから、どのような操作が行われたかを判断しビューワー本体部１００１へ通知する（タッチ操作のビューワーアプリケーションにおける具体例は後述する）。姿勢検知部１００７は加速度センサ６０９と地磁気センサ６１０の出力を読み出して携帯端末１０９の姿勢を検出する。ここで、加速度センサ６０９を用いれば重力の方向が分かるため、携帯端末１０９のどの辺が鉛直方向で下にあるかを検出することができる。姿勢検知部１００７は携帯端末１０９の姿勢が変化するとビューワー本体部に通知する。方角検知部１００８は、加速度センサ６０９と地磁気センサ６１０の出力を読み出し、携帯端末１０９が東西南北のどの方角を向いているかを検出する。方角検知部１００８は、携帯端末１０９の向いている方角が変化したら、ビューワー本体部１００１へ通知する。
【００３４】
図１１はビューワー本体部１００１の制御を示したフローチャートである。
【００３５】
ビューワーアプリケーションを開始すると、ビューワー本体部１００１はステップＳ１１０１で表示用文書の１ページ目のデータを、ファイル管理部１００３を介して読み出す。ここで、表示用文書の形式はＪＰＥＧやＰＤＦ等の一般的な文書形式である。
【００３６】
ステップＳ１１０２では、読み出したデータを表示できる画像データに変換し、表示部１００２を介してタッチパネル５１０へ表示する。図１２は表示の例であり、１２０１が表示した画像データである。
【００３７】
ステップＳ１１０３では、パネル入力検出部１００６からホームキー５０２の入力通知があったかどうかを判断する。ステップＳ１１０３がＹＥＳであれば、ビューワー本体部１００１は処理を終了し、ビューワーアプリケーションが終了することになる。ステップＳ１１０３がＮＯであれば、他の入力が無いか調べるためにステップＳ１１０４へ進む。      
【００３８】
ステップＳ１１０４ではパネル入力検出部１００６からタッチパネル入力通知があったかどうかを調べる。ステップＳ１１０４がＹＥＳであれば、ステップＳ１１０５のタッチパネル入力処理を実行する。ステップＳ１１０５の処理の詳細は後述する。ステップＳ１１０４がＮＯであれば、ステップＳ１１０６へ進む。
【００３９】
ステップＳ１１０６では、姿勢検知部１００７から携帯端末１０９自体の姿勢変化通知があったかどうかを調べることで、携帯端末１０９の回転があったかどうかを判断する。ステップＳ１１０６がＹＥＳであればステップＳ１１０７の回転処理を実行する。ステップＳ１１０７の処理の詳細は後述する。ステップＳ１１０６がＮＯであれば、ステップＳ１１０８へ進む。
【００４０】
ステップＳ１１０８ではＲＦＩＤタグ通信部１００５から、ＲＦＩＤタグの検知通知があったかどうかを判断する。ステップＳ１１０８がＹＥＳであれば、ステップＳ１１０９のＲＦＩＤタグ検出処理を実行する。ステップＳ１１０９の処理の詳細は後述する。ステップＳ１１０８がＮＯであれば、ステップＳ１１０３へ戻って引き続き携帯端末１０９への何らかの入力があるまで待つ。ステップＳ１１０５、ステップＳ１１０７、ステップＳ１１０９の各処理が完了したときもステップＳ１１０３へ戻る。
【００４１】
ビューワー本体部１００１が実行する、ステップＳ１１０５のタッチパネル入力処理の詳細を、図１３のフローチャートと図１４の図を用いて説明する。
【００４２】
タッチパネル入力処理が開始すると、ステップＳ１３０１ではフリック操作があったかどうかを判断する。ここで、フリック操作は、図１４（ａ）のように指を所定時間以内に動かして離す操作であり、パネル入力検出部１００８はこの操作を検出するとビューワー本体部１００１へ通知する。ビューワー本体部はこれをページ変更動作と解釈し、図１４（ｂ）のように表示する画像を変更する。つまり、ステップＳ１３０１がＹＥＳであれば、ステップＳ１３０２で表示中のページの次（あるいは前）のページのデータを読み出す。ステップＳ１３０３では、ステップＳ１１０２と同じように読み出したデータを表示用に変換し、表示部１００２を介してタッチパネル５１０へ表示する。ステップＳ１３０３が完了すればタッチパネル入力処理を終了する。
【００４３】
ステップＳ１３０１がＮＯであれば、ステップＳ１３０４ではドラッグ操作があったかどうかを判断する。ここで、ドラッグ操作は図１４（ｃ）のように指を所定時間以上（フリックと区別できる時間以上）タッチしたまま動かす操作であり、パネル入力検出部１００８によって検出、通知される。ビューワー本体部はこれを表示画像の移動動作と解釈し、図１４（ｄ）のように指を移動させた分表示画像を移動する。ここでの処理は、ステップＳ１３０５では指の動きの開始前と終了の座標から移動量を算出する。ステップＳ１３０６では画像を移動して表示部１００２を介して表示を更新する。ステップＳ１３０６が完了するとタッチパネル入力処理を終了する。
【００４４】
ステップＳ１３０４がＮＯであれば、ステップＳ１３０７ではピンチアウトまたはピンチイン操作があったかどうかを判断する。図１４（ｅ）のように２本の指を遠ざかるように動かす操作がピンチアウト、図１４（ｇ）のように２本の指を近づけるように動かすのがピンチインである。この操作はそれぞれ表示の拡大／縮小と解釈し、図１４（ｆ）のように拡大するか、図１４（ｈ）のように縮小表示を行う。ここでは、ステップＳ１３０８では２つの座標の距離の変化から拡大・縮小率を算出する。そして、ステップＳ１３０９で表示画像を拡大・縮小して表示する。テップＳ１３０９が完了するとタッチパネル入力処理を終了する。
【００４５】
ステップＳ１３０７がＮＯになったとき、すなわちステップＳ１３０１、Ｓ１３０４、Ｓ１３０７のいずれもＮＯになったときには、有効な操作が無かったと解釈し、タッチパネル入力処理は終了する。
【００４６】
ステップＳ１１０７の回転処理の詳細を、図１５のフローチャートと図１６の図を用いて説明する。
【００４７】
姿勢検知部１００７からの通知で回転を検知すると、ステップＳ１５０１では現在の姿勢、すなわち携帯端末１０９のどの辺が下になっているかを取得する。続いてステップＳ１５０２では一定時間待つ。ここでの時間は携帯端末１０９を持っている人が回転操作を終える程度の時間であり、数秒程度の所定値で良い。一定時間経過後、ステップＳ１５０３では再び姿勢検知部１００７から現在下になっている辺を取得する。ここで、ステップＳ１５０３がＮＯ、すなわち下になっている辺がステップＳ１５０１で取得したものと変わっていれば、ステップＳ１５０１へ戻って再び待つ。ステップＳ１５０３がＹＥＳであれば、ステップＳ１５０４で回転表示を行う。ステップＳ１５０４で行う表示は図１５の（ａ）〜（ｄ）に示したように、携帯端末１０９の向いている下方向に表示上の下部が揃うように表示する。ステップＳ１５０４の回転表示を行うと回転処理を終了する。
【００４８】
ステップ１１０９のＲＦＩＤタグ検出処理の詳細を、図１７のフローチャートと図１８を用いて説明する。
【００４９】
図１８は、携帯端末１０９が排紙トレイ３１４に置かれたときの様子である。図１８（ａ）は正面から見た図であり、図１８（ｂ）は上から見た図である。図１８（ａ）のように、排紙トレイ３１４が傾いているため携帯端末１０９も傾いている。そのため、姿勢検知部１００７によって携帯端末１０９のどの辺が下になっているかを検知することによって、携帯端末１０９の複合機１０１に対する向きを検出することができる。例えば、図１８（ａ）（ｂ）のような置き方であれば、ホームボタン５０２のある辺が複合機１０１に近接する辺である。
【００５０】
なお、本実施例では携帯端末１０９の複合機１０１に対する向きの検出を上述のように姿勢検知部１００７によって検知したが、これに限定するものではない。例えば、携帯端末１０９を置く場所が水平であれば、姿勢検知部１００７による向きの検出はできない。このような場合、携帯端末１０９と複合機１０１の両方に地磁気センサを設けることにより、それぞれが向いている方角を検知し、両方の方角を比較して携帯端末１０９の複合機１０１の向きを算出する、という方法が可能である。
【００５１】
図１７でＲＦＩＤタグ検出処理が開始すると、ビューワー本体部１００１はステップＳ１７０１でＲＦＩＤタグ通信部１００５を介してＲＦＩＤタグ２６０内の記憶領域８０１に格納されたデータを読み出す。ここで、携帯端末１０９が正しくＲＦＩＤタグ２６０の上に置かれれば、図９で説明した形式のデータが読み出すことができる。しかし、携帯端末１０９が異なるＲＦＩＤタグの上に置かれた場合には、異なった形式のデータが読み出されることがある。
【００５２】
ステップＳ１７０２ではＲＦＩＤタグ通信部１００５を介して読み出したデータを解釈し、複合機情報記述部９０１に接続可能な複合機情報が入っていて、かつ、複合機アドレス９０２が接続可能なＩＰアドレスまたはホスト名になっているかどうかを判断する。ステップＳ１７０２がＮＯであれば、ＲＦＩＤタグ検出処理を終了する。
【００５３】
ステップＳ１７０２がＹＥＳであればステップＳ１７０３へ進み、ネットワーク通信部１０４を介して、ネットワークで複合機１０１と接続を行う。これ以降の複合機１０１との通信はネットワークを介して行う。
【００５４】
ステップＳ１７０４では複合機１０１と通信を行って、複合機１０１で設定されたプリント設定をタッチパネル５１０上の画像表示に反映させる、プリント設定反映処理を行う。プリント設定反映処理の詳細は後述する。
【００５５】
ステップＳ１７０５では複合機１０１からプリント設定が変更された旨の通知があったかどうかを判断する。ステップＳ１７０５がＹＥＳであればステップＳ１７１３へ進み、ステップＳ１７０４と同じくプリント設定反映処理を行って、変更されたプリント設定をタッチパネル５１０上の画像表示に反映する。そして、ステップＳ１７０５へ戻る。
【００５６】
ステップＳ１７０５がＮＯであればステップＳ１７０６へ進み、姿勢検出部１００７によって姿勢変化が検出され、携帯端末１０９の鉛直方向に下側の辺、すなわち携帯端末１０９の複合機１０１に対する向きが変わったかどうかを調べる。ステップＳ１７０６がＹＥＳの場合は、複合機１０１に対する向きによる設定変更を反映させるため、ステップＳ１７１３へ進んでプリント設定反映処理を行ってから、ステップＳ１７０５へ戻る。
【００５７】
ステップＳ１７０６がＮＯであればステップＳ１７０７へ進み、複合機１０１からプリント開始が通知されたかどうか判断する。ステップＳ１７０７がＹＥＳであれば、ステップＳ１７０８へ進み、表示している文書のデータを複合機へ送信する。さらに、ステップＳ１７０９では携帯端末１０９の複合機１０１に対する向きを送信する。そしてステップＳ１７０５へ戻る。
【００５８】
ステップＳ１７０７がＮＯであればステップＳ１７１０へ進み、ＲＦＩＤタグ通信部１００３を介してＲＦＩＤタグが検知されているかどうかを判断する。ステップＳ１７０７がＹＥＳであればＳ１７０５へ戻る。
【００５９】
ステップＳ１７０８がＮＯであればステップＳ１７１１へ進んで一定時間待つ。ここでの一定時間は携帯端末を持ち上げた、という判断ができる所定の時間であり、数秒程度で良い。ステップＳ１７１２では再度ＲＦＩＤタグ検知があるかを判断する。ステップＳ１７１２がＹＥＳであれば携帯端末１０９が置き直されたことを意味するため、ステップＳ１７０５へ戻る。ここで、Ｓ１７１０とＳ１７１２の間に携帯端末１０９の向きを変えて置き直された場合、ステップＳ１７１２はＹＥＳと判断される。この後ステップＳ１７０５からステップＳ１７０６へ進んだところで姿勢変化が検知され、ステップＳ１７１３のプリント設定反映処理が実行されることになる。
【００６０】
ステップＳ１７１２がＮＯであれば、携帯端末１０９がＲＦＩＤタグ２６０から離されたことを意味する。そこで、ステップＳ１７１４では表示画像に対してプリント設定の反映を無くし、ステップＳ１１０２やステップＳ１３０３で表示したものと同じ表示をし直す。ステップＳ１７１５ではネットワーク通信部１００４を介した複合機１０１との通信を切断し、ＲＦＩＤタグ検出処理を終了する。
【００６１】
ステップＳ１７０４、Ｓ１７１３のプリント設定反映処理の詳細を、図１９のフローチャートおよび図２０、２１、２２、２３を用いて説明する。
【００６２】
プリント設定反映処理を開始すると、ステップＳ１９０１では、ビューワー本体部１００１はネットワーク通信部１００４を介して、複合機１０１からプリント設定を取得する。
【００６３】
ステップＳ１９０２では、前述したように姿勢検知部１００７から携帯端末１０９のどの辺が下側かを取得することによって、携帯端末１０９がプリンタ本体に対してどの向きかを判断する。
【００６４】
ステップＳ１９０３では、表示している画像をプリントしたときのサイズが、ラージサイズすなわち長辺の長さがＡ４長辺（２９７ｍｍ）よりも長いかどうかを判断する。
【００６５】
ステップＳ１９０３がＹＥＳ、すなわちラージサイズなら、ステップＳ１９０４に進む。
【００６６】
ステップＳ１９０４では、ステップＳ１９０２で取得したプリンタに対する向きと、表示中の画像の画像サイズから、携帯端末１０９のプリンタに近い辺が表示画像の長辺かどうかを判断する。
【００６７】
ステップＳ１９０４がＹＥＳであれば、ステップＳ１９０５へ進んでプリント不可である旨をタッチパネル５１０へ表示する。
【００６８】
ステップＳ１９０３、Ｓ１９０４、Ｓ１９０５の処理について、図２３を用いて具体例を示す。図２３はＡ３画像を表示している例である。ここで、図２３（ａ）および図２３（ｄ）のように、表示画像の短辺側が複合機１０１に近い辺である場合は、プリントを行えるので通常の画像表示を行う。しかし、図２３（ｃ）および図２３（ｄ）のように、表示画像の長辺側が複合機１０１に近い辺である場合、この向きでは複合機１０１の主走査が２９７ｍｍを超えてしまうため、プリントできない。そこで、このような場合には図２３（ｃ）、（ｄ）のように「プリント不可」を示す表示を行う。
【００６９】
ステップＳ１９０３あるいはステップＳ１９０４のどちらかがＮＯであればプリント可能なサイズおよび向きであるため、ステップＳ１９０６以降の設定反映処理に進む。
【００７０】
ステップＳ１９０６では、ステップＳ１９０１で取得したプリント設定から、プリントカラーモードがカラーかモノクロかを判断する。ステップＳ１９０６がＹＥＳであれば、ステップＳ１９０７で表示画像をモノクロに変換する。ステップＳ１９０６がＮＯであれば、ステップＳ１９０７の処理は行わないでステップＳ１９０８へ進む。
【００７１】
ステップＳ１９０８では、表示している画像サイズと取得したプリント設定の用紙サイズが一致しているかどうかを判断する。ステップＳ１９０８がＮＯであれば、ステップＳ１９０９で表示画像サイズを用紙サイズに合わせるように、表示画像を変換する。このとき、表示画像サイズよりも用紙サイズが大きければ余白付けを行い、表示画像サイズよりも用紙サイズが小さければトリミングを行う。ステップＳ１９０８がＹＥＳであれば、ステップＳ１９０８の処理は行わないでステップＳ１９１０へ進む。
【００７２】
ステップＳ１９１０では取得したプリント設定からステイプル設定があるかどうかを判断する。ステップＳ１９１０がＹＥＳであればステップＳ１９１１ではステイプル位置の決定および描画を行う。前述したように、ステイプル設定は奥側、手前側、２か所とじ（ダブルステイプル）の３通りである。このときの表示例を図２０に示す。図２０（ａ）は奥側ステイプルの表示、図２０（ｂ）は手前とじの表示、図２０（ｃ）はダブルステイプルの表示である。また、このとき、複合機１０１に対する携帯端末１０９の向きによってステイプルを行う辺を変えることが可能である。図２１にダブルステイプルのときの様子を示す。図２１（ａ）、（ｂ）、（ｃ）、（ｄ）は携帯端末１０９を回転させて、複合機１０１に近い辺を変えることにより、画像から見た、ステイプルを行う辺を変えている。それぞれ、図２１（ａ）は右辺とじ、図２１（ｂ）は上辺とじ、図２１（ｃ）は左辺とじ、図２１（ｄ）は下辺とじ、の設定になる。奥とじ、手前とじの場合も図示はしないが同様に携帯端末１０９を回転させることによりステイプルを行う辺を変えることが可能である。
【００７３】
なお、図２３に示したように、画像サイズがラージサイズの場合には、長辺を複合機１０１に近い側にすると図２３（ｃ）、（ｄ）のようにプリント不可となる。一方、図２３（ａ）、（ｄ）のようにプリントできる場合にはステイプル表示もすることになる。言い換えると、ラージサイズ画像の長辺にはステイプルできない、という複合機１０１の機構上の制約がある設定をさせないように、プリント設定操作上排他ができている、ということになる。
【００７４】
ステップＳ１９１０がＮＯであればステップＳ１９１１の処理は行わないでステップＳ１９１２へ進む。
【００７５】
ステップＳ１９１２ではプリント設定に折りがあるかどうかを判断する。ステップＳ１９１２がＹＥＳであればステップＳ１９１３へ進んで折りの種類と折り位置を決定し、描画を行う。前述したように、複合機１０１は２つ折り、Ｚ折り、Ｃ折りの３種類の折りが実行可能である。図２２はそれぞれの折り設定時の表示例である。図２２（ａ）は２つ折り、図２２（ｂ）はＺ折り、図２２（ｃ）はＣ折りである。
【００７６】
ステップＳ１９１２がＮＯであればステップＳ１９１３の処理は行わず、ステップＳ１９１４へ進む。
【００７７】
ステップＳ１９１４ではタッチパネル５１０上の表示を更新し、反映した全てのプリント設定を表示して、プリント設定反映処理を終了する。
【００７８】
次に、携帯端末１０９上で動作するビューワーアプリケーションと通信し、プリント設定とプリントの実行を行う、複合機１０１上で動作するプログラムの処理について説明する。このプログラムは複合機１０１のＨＤＤ２２４に格納され、コントローラＣＰＵ２２１によってＲＡＭ２２２へ読み出されて実行される。
【００７９】
図２４はＣＰＵ２２１によって実行されるプログラムの構成図である。表示部２４０１は操作部２１０上のタッチパネル４０１への表示を行う。パネル入力部２４０２は、タッチパネル４０１に操作者が指等でタッチしたときの操作や、ハードキーへの入力を検出しする。ファイル管理部２４０３はＨＤＤ２２４上のファイルの作成／管理を行い、ファイルに対してデータの読み書きを実行する。ネットワーク通信部２４０４はネットワークＩ／Ｆ２２６を介したＴＣＰ／ＩＰ通信を行う。プリント処理部２４０５は複合機１０１の各部を制御してプリントの実行を行う。プリント設定部２４０６は表示部２４０１とパネル入力部２４０２介して、操作部２１０上にプリント設定表示を行うとともに操作者からの入力を受け付け、プリントの設定を行う。プリント設定部２４０６、プリント処理部２４０５の処理については以下に詳細に説明する。
【００８０】
図２５はプリント設定部２４０６がタッチパネル４０１に表示するプリント設定画面である。領域２５０１は印刷部数を表示／設定する領域であり、操作者が＋−キーを押すことで、プリント設定部２４０６は印刷部数を増減設定する。領域２５０２はプリントのカラーモードを表示／設定する領域であり、操作者がカラーかモノクロかいずれかのキーを押下すると、プリント設定部２４０６は対応したプリントカラーモードに設定する。領域２５０３は用紙選択領域であり、プリント設定部２４０６は給紙カセット３１１に格納されている用紙サイズを表示する。操作者がいずれかの用紙サイズのキーを押下すると、プリント設定部２４０６は対応した給紙カセットから給紙するように設定する。領域２５０４はステイプル設定領域であり、プリント設定部２４０６は操作者が押したキーに対応したステイプル方法を設定する。領域２５０４において、操作者が「なし」キーを押下すると、プリント設定部２４０６はステイプル設定を解除する。領域２５０５は折り設定領域であり、プリント設定部２４０６は操作者が押したキーに対応したステイプル方法を設定する。領域２５０５において、操作者が「なし」キーを押下すると、プリント設定部２４０６はステイプル設定を解除する。プリント開始キー２５０６を操作者が押下すると、プリント設定部２４０６はプリント処理部２４０５へ通知し、プリントを開始する。
【００８１】
図２６はプリント設定部２４０６の処理を示したフローチャートである。
【００８２】
プリント設定部２４０６の処理を開始すると、ステップＳ２６０１で携帯端末からの接続要求を、ネットワーク通信部２４０４を介して待つ。携帯端末１０９がＲＦＩＤタグ２６０上に置かれ、携帯端末１０９のビューワー本体部１００１がステップＳ１７０４を実行して複合機１０１へ接続すると、ステップＳ２６０１がＹＥＳとなってステップＳ２６０２へ進む。
【００８３】
ステップＳ２６０２では、ネットワーク通信部２４０４を介して携帯端末１０９との通信を接続する。
【００８４】
ステップＳ２６０３では、プリント設定部２４０６はファイル管理部２４０３を介してＨＤＤ２２４上に前回のプリント設定が保存されているかどうかを調べる。ステップＳ２６０３がＹＥＳであれば、プリント設定部２４０６はファイル管理部２４０３を介して保存されているプリント設定ファイルを読み出し、その設定を初期設定とする。ステップＳ２６０３がＮＯであれば、ステップＳ２６０５へ進み、プリント設定部２４０６はプログラム中に埋め込まれているデフォルトのプリント設定を初期設定とする。
【００８５】
ステップＳ２６０６では初期設定に従って、図２５に示した操作画面を、表示部２４０１を介してタッチパネル４０１に表示する。
【００８６】
ステップＳ２６０８では、ネットワーク通信部２４０４を介して携帯端末１０９からプリント設定取得要求があるかどうかを調べる。ここでのプリント設定取得要求は、携帯端末１０９のビューワー本体部１００１が、ステップＳ１９０１を実行するときに出す要求である。ステップＳ２６０８がＹＥＳであれば、ステップＳ２６０９へ進み、プリント設定を、ネットワーク通信部２４０４を介して携帯端末１０９へ送信する。そしてステップＳ２６０８へ戻る。
【００８７】
ステップＳ２６０８がＮＯであればステップＳ２６１０へ進み、パネル入力部２４０２を介して、タッチパネル４０１へのタッチ操作によって図２５の画面のキーが押下されたかどうかを調べる。ステップＳ２６１０がＹＥＳであれば、ステップＳ２６１１へ進み、まずは押下された設定を、表示部２４０１を介して図２５の画面に反映する。ステップＳ２６１２では、ネットワーク通信部２４０４を介して設定変更があったことを携帯端末１０９へ通知する。ここでの通知は、携帯端末１０９のビューワー本体部１００１の、ステップＳ１７０５の処理で受信される。ステップＳ２６１２を実行すると、ステップＳ２６０８へ戻る。
【００８８】
ステップ２６１０がＮＯであればステップＳ２６１３へ進み、パネル入力部２４０２を介してプリント開始キー２５０６が押下されたかどうかを調べる。ステップＳ２６１３がＹＥＳであればステップＳ２６１４へ進み、プリント設定部２４０６はプリント処理部２４０５へプリント開始を通知する。プリント処理部２４０５のプリント処理は後で説明する。ステップＳ２６１４のプリント実行が終了するとステップＳ２６０８へ戻る。
【００８９】
ステップＳ２６１３がＮＯであれば、ステップＳ２６１５へ進み、ネットワーク通信部２４０４を介して、携帯端末１０９との接続が切断されたかどうかを調べる。ここで、携帯端末１０９との通信が切断されるのは、携帯端末１０９がＲＦＩＤタグ２６０から離され、ビューワー本体部１００１がステップＳ１７１２でそれを検知して、ステップＳ１７１５の切断処理を実行したときである。
【００９０】
ステップＳ２６１５がＮＯであれば、ステップＳ２６０８へ戻る。
【００９１】
ステップＳ２６１５がＹＥＳであれば、ステップＳ２６１６では、ファイル管理部２４０３を介して現在のプリント設定をＨＤＤ２２４へ保存する。ここで保存したプリント設定は、後で再び携帯端末１０９からの接続があったとき、プリント設定部２４０６がステップＳ２６０４で読み出すことになる。ステップＳ２６１７では表示部２４０１を介してタッチパネル４０１に表示した操作画面を消去する。そしてステップＳ２６０１へ戻って、携帯端末からの接続要求を待つ。
【００９２】
図２７のフローチャートを用いて、ステップＳ２６１４で行う、プリント処理部２４０５のプリント実行処理について説明する。
【００９３】
プリント実行を開始すると、ステップＳ２７０１では、プリント処理部２４０５は携帯端末１０９からネットワーク通信部２４０４を介してプリントする文書データを受信する。ここで受信する文書データは、携帯端末１０９のビューワー本体部１００１がステップＳ１７０８で送信するデータである。プリント処理部２４０５は受信した文書データを、ファイル管理部２４０３を介してＨＤＤ２２４へ蓄積する。すべての文書データを受信して蓄積すると、ステップＳ２７０２では携帯端末１０９の複合機１０１に対する向きを受信する。ここで受信する向きは、携帯端末１０９のビューワー本体部１００１がステップＳ１７０９で送信するデータである。なお、ここで送受信するデータは向きを９０度単位であらわす４通りのデータであり、図２１に示した携帯端末１０９と複合機１０１の向きの４通りの関係に対応する。
【００９４】
ステップＳ２７０３では、受信した携帯端末１０９の向きに対応するように、プリント時の画像データの回転角度を決定する。図２１を用いて具体的に回転角度の例を挙げると、下記のようになる。
・図２１（ａ）の向きの場合は回転無し
・図２１（ｂ）の向きの場合は９０度回転
・図２１（ｃ）の向きの場合は１８０度回転
・図２１（ｄ）の向きの場合は２７０度回転
ステップＳ２７０４では、ページの並び順にプリントを実行するために、まずページ番号を１と設定する。
【００９５】
ステップＳ２７０５では、ステップＳ２７０１で蓄積した文書データから、設定ページ番号のデータを、ファイル管理部２４０３を介して読み出す。
【００９６】
ステップＳ２７０６では、ＲＩＰ２３０に入力できる形式にページデータを変換する。
【００９７】
ステップＳ２７０７では、プリント処理部２４０５は変換したページデータを、イメージバスＩ／Ｆ２２８を介してＲＩＰ２３０に入力する。ＲＩＰ２３０は入力されたデータをラスター画像データに変換し、イメージバスＩ／Ｆ２２８を介してＲＡＭ２２２へ格納する。
【００９８】
ステップＳ２７０８では、プリント処理部２４０５はＲＡＭ２２２上のラスター画像データを、イメージバスＩ／Ｆ２２８を介して画像編集用画像処理部２３４へ入力する。画像編集用画像処理部２３４は、ステップＳ２７０３で決定した回転角度でラスター画像データを回転し、イメージバスＩ／Ｆ２２８を介してＲＡＭ２２２へ格納する。
【００９９】
ステップＳ２７０９では、プリント処理部２４０５はＲＡＭ２２２上のラスター画像データを、イメージバスＩ／Ｆ２２８を介してプリンタ画像処理部２３３へ入力する。プリンタ画像処理部２３３は、入力画像に対してプリンタに適した画像処理を行って、イメージバスＩ／Ｆ２２８を介してＲＡＭ２２２へ格納する。
【０１００】
ステップＳ２７１０では、プリント処理部２７１０はイメージバスＩ／Ｆ２２８とデバイスＩ／Ｆ２３１を介して、画像データをプリンタ部２５０へ転送する。
【０１０１】
プリンタ部２５０は画像データを受信すると、ステップＳ２７１１で給紙カセット３１１から用紙を給紙し、プリンタ本体３１２へ搬送する。プリンタ本体３１２は受信した画像データを搬送された用紙に転写し、定着して印刷を行う。
【０１０２】
ステップＳ２７１３では、後処理装置３１３が印刷された用紙に対して、ページごとの後処理を行い、用紙を後処理装置３１３の内部に重ねてためる。ここで、ページごとの後処理とは、Ｚ折り、Ｃ折り、２つ折りの折り処理がある。ページごとの後処理が無ければ、ここでは後処理装置３１３は何もしない。
【０１０３】
ステップＳ２７１４では、次のページのデータが文書データにあるかどうかを、ファイル管理部２４０３を介して調べる。
【０１０４】
ステップＳ２７１４がＹＥＳであれば、ステップＳ２７１５へ進み、プリント処理部は次のページのプリントを実行するためにページ番号を１増加させる。そしてステップＳ２７０５へ戻り、次のページのプリントを実行する。
【０１０５】
ステップＳ２７１４がＮＯであればステップＳ２７１５へ進み、後処理装置３１３は部ごとの後処理を行う。ここで、部ごとの後処理はステイプル処理である。ステイプル設定があれば内部にためた用紙束にステイプル処理を行い、さらに用紙束を排紙トレイ３１４または３１５へ排出する。このようにして１部のプリントが完了する。
【０１０６】
ステップＳ２７１６では、プリント設定画面の領域２５０１で設定された分の印刷部数分プリントしたかどうかを判断する。ステップＳ２７１６がＮＯであればステップＳ２７１８でページ番号を初期値の１に再設定する。そしてステップＳ２７０５へ戻って１ページ目からプリントを再開する。
【０１０７】
ステップＳ２７１６がＹＥＳであれば、プリント実行を終了する。
【０１０８】
以上で本実施例の説明を行った。本実施例における効果を説明すると下記のようになる。
【０１０９】
図１７のフローチャートで説明したように、携帯情報端末１０９は、ＲＦＩＤタグ２６０を検知している間ステップＳ１７０４とステップＳ１７１３で行ったプリント設定を反映した画像表示を行う。また、ＲＦＩＤタグ２６０の検知が無くなると、ステップＳ１７１４でプリント設定の反映を無くすように画像表示を戻す。このようにすることで、通常の閲覧用の画像表示とプリント設定の確認用のプレビューを容易に切り替えることができる。
【０１１０】
図１７のステップＳ１７１１において、ＲＦＩＤタグ２６０の検知が無くなったときに一定時間待ち、さらにステップＳ１７１２でＲＦＩＤタグ２６０の検知が再度あったときには引き続きプリント設定表示を行う。このようにすることで、操作者は携帯情報端末１０９のプリント設定表示中に携帯情報端末１０９を一度持ち上げ、向きを変えて置き直す、という動作を行うことができる。
【０１１１】
また、図１９のステップＳ１９１１において、表示画像の複合機１０１側の辺にステイプル位置を常に設定するようにしている。これは、後処理装置３１３によって実際にステイプルされる位置と一致させているため、操作者は直観的にステイプル位置を設定することができる。また、前述のように操作者は一旦携帯情報端末１０９を持ち上げてから向きを変えて置き直すことができるため、図２１に示したようにステイプル位置設定を容易に変更することができる。
【０１１２】
また、図１９のステップＳ１９０５で図２３のようなプリント不可表示をすることにより、操作者は複合機１０１の制約を直観的に理解でき、また、携帯情報端末１０９を回して置き直すことでプリントできる設定に修正できるため、操作性が向上する。
【０１１３】
また、図２７のステップＳ２７０３でプリント時の回転角度を、携帯端末１０９の複合機１０１に対する向きに応じて決定するため、どの向きで印刷出力が行われるかが操作者に容易に分かることになり、ミスプリントを減らす効果が期待できる。
【符号の説明】
【０１１４】
１０１、１０２、１０３、１０４  複合機
１０５  ＰＣ
１０６  ネットワーク
１０７  サーバ
１０８  無線アクセスポイント
１０９  携帯端末
【図１】
2015166150.tif 000003
【図２】
2015166150.tif 000004
【図３】
2015166150.tif 000005
【図４】
2015166150.tif 000006
【図５】
2015166150.tif 000007
【図６】
2015166150.tif 000008
【図７】
2015166150.tif 000009
【図８】
2015166150.tif 000010
【図９】
2015166150.tif 000011
【図１０】
2015166150.tif 000012
【図１１】
2015166150.tif 000013
【図１２】
2015166150.tif 000014
【図１３】
2015166150.tif 000015
【図１４】
2015166150.tif 000016
【図１５】
2015166150.tif 000017
【図１６】
2015166150.tif 000018
【図１７】
2015166150.tif 000019
【図１８】
2015166150.tif 000020
【図１９】
2015166150.tif 000021
【図２０】
2015166150.tif 000022
【図２１】
2015166150.tif 000023
【図２２】
2015166150.tif 000024
【図２３】
2015166150.tif 000025
【図２４】
2015166150.tif 000026
【図２５】
2015166150.tif 000027
【図２６】
2015166150.tif 000028
【図２７】
2015166150.tif 000029